(57)【要約】【課題】撮影時または撮影直後にどの臓器（部位）の画像かを入力でき、より正確にかつ効率よく入力を行う。【解決手段】内視鏡検査マネージメントシステムは主に、院内の他部門とのデータ交換を行うためのＧＷ（ゲートウエイ）１と、検査の受付を行うための受付端末２と、検査を実施する入力／検査端末３と、画像や各種情報の表示・入力を行う検索端末４と、データの記録を行うサーバ５とから構成され、各装置は、ＨＵＢ７により分配されたネットワーク（ＬＡＮ）により接続されている。【選択図】  図１
2004348687.tif 000002
【特許請求の範囲】
【請求項１】
検査に関する画像の記録を行う撮影ステップと、
検査の実施内容の入力・記録を行う実施入力ステップ、または、検査結果であるレポート情報の入力・記録を行うレポート入力ステップと、
を有する検査マネージメント方法において、
前記撮影ステップは、代表画像の選択を行う画像選択ステップと、
選択した画像が撮影された臓器（部位）の位置情報を入力する撮影位置入力ステップと
をさらに有し、
前記実施入力ステップにて、前記撮影ステップにて入力した撮影位置を利用してデータの制御を行うこと、
または、
前記レポート入力ステップにて、前記撮影ステップにて入力した撮影位置を利用してデータの制御を行うこと
を特徴とした検査マネージメント方法。
【請求項２】
検査に関する画像の記録を行う撮影手段と、
検査の実施内容の入力・記録を行う実施入力手段、または、検査結果であるレポート情報の入力・記録を行うレポート入力手段と、
を有する検査マネージメントシステムにおいて、
前記撮影手段は、
代表画像の選択を行う画像選択手段と、
選択した画像が撮影された臓器（部位）の位置情報を入力する撮影位置入力手段と
をさらに有し、
前記実施入力手段にて、前記撮影手段にて入力した撮影位置を利用してデータの制御を行うこと、
または、
前記レポート入力手段にて、前記撮影手段にて入力した撮影位置を利用してデータの制御を行うこと
を特徴とした検査マネージメントシステム。
【請求項３】
前記実施入力手段または前記レポート入力手段は、前記検査が実施される検査ベッド近傍に設けられた表示手段を有するタッチパネルである
ことをを特徴とした請求項２に記載の検査マネージメントシステム。
【発明の詳細な説明】
【０００１】
【発明の属する技術分野】
本発明は、医療検査を管理する検査マネージメント方法及び検査マネージメントシステムに関する。
【０００２】
【従来の技術】
例えば特開２００２−７３６１５号公報に示すように、従来から内視鏡検査のワークフローに沿った情報の入力および参照が可能なシステムが存在しており、前記従来例では、検査の実施情報の入力が可能で、入力された実施情報を会計処理に活用することが可能となっている。
【０００３】
また、前記従来のシステムにおいては、レポートの入力において、記録した画像のうち、特徴的な画像を、検査の結果を示す代表画像として、レポート情報に添付する（レポート入力画面でレポート情報と同時に画像を表示する）ことが可能となっている。また、どの臓器（部位）で撮影したのかを示すために、別途、シェーマ図上に位置を入力することができるようになっている。
【０００４】
【特許文献１】
特開２００２−７３６１５号公報
【０００５】
【発明が解決しようとする課題】
しかし、内視鏡検査の会計処理においては、保険点数上、何臓器に対して医療行ためを実施したのかという情報が必要となっており、臓器数に応じて保険点数が変わってくる。従来、この臓器数の入力に着目し、より正確にかつ効率的に入力が可能となる旨着目したシステムはなかった。
【０００６】
また、レポート入力画面にて表示を行う際に、臓器（部位）毎に分けて表示し、どこで撮影したのかを参照し易くしたり、画像を撮影したその場で、又は、撮影の直後にどの臓器（部位）で撮影したのかを入力できるようにし、より正確にかつ効率よく入力が可能となる旨着目したシステムはなかった。
【０００７】
特に大腸や気管支は、位置が違っていても撮影される画像の形状が似ているため、時間が経った後から（レポート入力の際に）入力しようとして、撮影位置がどこであったかが判りにくい場合があった。
【０００８】
本発明は、上記事情に鑑みてなされたものであり、撮影画面にて画像選択時に、臓器（部位）の選択入力を可能にすることで、撮影時または撮影直後にどの臓器（部位）の画像かを入力でき、より正確にかつ効率よく入力を行うことのできる検査マネージメント方法及び検査マネージメントシステムを提供することを目的としている。
【０００９】
【課題を解決するための手段】
本発明の検査マネージメント方法は、
検査に関する画像の記録を行う撮影ステップと、
検査の実施内容の入力・記録を行う実施入力ステップ、または、検査結果であるレポート情報の入力・記録を行うレポート入力ステップと、
を有する検査マネージメント方法において、
前記撮影ステップは、代表画像の選択を行う画像選択ステップと、
選択した画像が撮影された臓器（部位）の位置情報を入力する撮影位置入力ステップと
をさらに有し、
前記実施入力ステップにて、前記撮影ステップにて入力した撮影位置を利用してデータの制御を行うこと、
または、
前記レポート入力ステップにて、前記撮影ステップにて入力した撮影位置を利用してデータの制御を行うこと
を特徴とする。
【００１０】
本発明の検査マネージメントシステムは、
検査に関する画像の記録を行う撮影手段と、
検査の実施内容の入力・記録を行う実施入力手段、または、検査結果であるレポート情報の入力・記録を行うレポート入力手段と、
を有する検査マネージメントシステムにおいて、
前記撮影手段は、代表画像の選択を行う画像選択手段と、
選択した画像が撮影された臓器（部位）の位置情報を入力する撮影位置入力手段と
をさらに有し、
前記実施入力手段にて、前記撮影手段にて入力した撮影位置を利用してデータの制御を行うこと、
または、
前記レポート入力手段にて、前記撮影手段にて入力した撮影位置を利用してデータの制御を行うこと
を特徴する。
【００１１】
【発明の実施の形態】
以下、図面を参照しながら本発明の実施の形態について述べる。
【００１２】
第１の実施の形態：
図１ないし図４４は本発明の第１の実施の形態に係わり、図１は内視鏡検査マネージメントシステムの構成を示すブロック図、図２は図１の内視鏡検査マネージメントシステムのソフトウェア構成を示す図、図３は図１の内視鏡検査マネージメントシステムのシステム起動・終了における遷移を表す図、図４は図１の内視鏡検査マネージメントシステムで展開されるシステム起動・終了画面を示す図、図５は図１のサーバ内のデータベースに管理されているテーブル／マスタの構成を示す図、図６は図１の内視鏡検査マネージメントシステムで展開される検査業務メイン画面を示す図、図７は図６の検査業務メイン画面における遷移を表す第１の図、図８は図６の検査業務メイン画面における遷移を表す第２の図、図９は図６の検査業務メイン画面における遷移を表す第３の図、図１０は図１の内視鏡検査マネージメントシステムで展開される未到着一覧画面を示す図、図１１は図１の内視鏡検査マネージメントシステムで展開される到着患者一覧画面を示す図、図１２は図１の内視鏡検査マネージメントシステムで展開される前処置未登録一覧画面を示す図、図１３は図１の内視鏡検査マネージメントシステムで展開される未撮影一覧画面を示す図、図１４は図１の内視鏡検査マネージメントシステムで展開される実施未送信一覧画面を示す図、図１５は図１の内視鏡検査マネージメントシステムで展開されるレポート未送信一覧画面を示す図、図１６は図１の内視鏡検査マネージメントシステムで展開される検査状況一覧画面を示す図、図１７は図１の内視鏡検査マネージメントシステムで展開される部門内オーダ登録画面を示す図、図１８は図１の内視鏡検査マネージメントシステムによる検査の流れを示すフローチャート、図１９は図１の内視鏡検査マネージメントシステムで展開される検査中止画面を示す図、図２０は図１の内視鏡検査マネージメントシステムで展開されるオーダ詳細確認画面を示す図、図２１は図１の内視鏡検査マネージメントシステムで展開される前処置入力画面を示す図、図２２は図１の内視鏡検査マネージメントシステムで展開される修正ウィンドウを示す図、図２３は図１の内視鏡検査マネージメントシステムで展開される撮影画面を示す図、図２４は図１の内視鏡検査マネージメントシステムで展開される選択メニューを示す図、図２５は図１の内視鏡検査マネージメントシステムで展開される実施入力画面を示す図、図２６は図１の内視鏡検査マネージメントシステムで展開されるレポート入力画面を示す図、図２７は図１の内視鏡検査マネージメントシステムで展開される第１の用語ウィンドウを示す図、図２８は図１の内視鏡検査マネージメントシステムで展開される第２の用語ウィンドウを示す図、図２９は図１の内視鏡検査マネージメントシステムで展開されるコメントメニューを示す図、図３０は図１の内視鏡検査マネージメントシステムで展開される選択候補ウィンドウを示す図、図３１は図２６の表示情報の切替ボタンの押下で展開される画面を示す図、図３２は図１の内視鏡検査マネージメントシステムで展開されるシェーマ画像の編集ウィンドウを示す図、図３３は図１の内視鏡検査マネージメントシステムで展開される外部画像取り込み用ウィンドウを示す図、図３４は図１の内視鏡検査マネージメントシステムで展開される認証ウィンドウを示す図、図３５は図１８のステップＳ４の詳細な流れを示すフローチャート、図３６は図１８のステップＳ５の詳細な流れを示すフローチャート、図３７は図１８のステップＳ６の詳細な流れを示すフローチャート、図３８は図１の内視鏡検査マネージメントシステムで展開されるカンファレンス画面を示す図、図３９は図１の内視鏡検査マネージメントシステムで展開される画像表示画面を示す図、図４０は図３９の画像比較表示ボタンの押下で展開される画面を示す図、図４１は図３９の過去検査同時表示ボタンの押下で展開される画面を示す図、図４２は図１の内視鏡検査マネージメントシステムで展開される統計・履歴画面を示す図、図４３は図１の内視鏡検査マネージメントシステムで展開される管理機能画面を示す図、図４４は図１の内視鏡検査マネージメントシステムで展開されるオーダ照合・統合画面を示す図である。
【００１３】
図１は本実施の形態の内視鏡検査マネージメントシステムのハードウェア構成を示す。
本内視鏡検査マネージメントシステムは主に、院内の他部門とのデータ交換を行うためのＧＷ（ゲートウエイ）１と、検査の受付を行うための受付端末２と、検査を実施する入力／検査端末３と、画像や各種情報の表示・入力を行う検索端末４と、データの記録を行うサーバ５とから構成され、各装置は、ＨＵＢ７により分配されたネットワーク（ＬＡＮ）により接続されている。
【００１４】
また各装置は、基本的構成として、パソコン８、ＰＣモニタ９、キーボード１０、マウス１１を搭載しており、パソコン８に搭載されているＬＡＮカード１８を経由してネットワークに接続している。
【００１５】
ＧＷ１は、上記基本構成に加え、ＵＰＳ（無停電電源）１５を備え、不意な停電時等に対応可能となっている。
【００１６】
受付端末２は、上記基本構成に加え、磁気カードリーダー１２を備えている。この受付端末は、検査の受付業務に使用されるため、部門内の受付窓口等に設置される。
【００１７】
入力／検査端末３は、上記基本構成に加え、磁気カードリーダー１２、圧縮伸張装置１３とを備え、圧縮伸張装置１３は、電子内視鏡装置１４と映像ケーブルと通信ケーブルをを介して接続されている。また、圧縮伸張装置１３は、パソコン８内に搭載されたＩ／Ｆカード１９を経由してパソコン８と接続されている。この入力／検査端末は、検査時に使用されるため、検査室内に設置される。
【００１８】
検索端末４は、上記基本構成のみを備える。おもに、カンファレンス業務に使用されるため、カンファレンス室等に設置される。
【００１９】
サーバ５は、上記基本構成に加え、ＵＰＳ１５を備え、不意な停電時等に対応可能となっている。
【００２０】
なお、電子内視鏡装置１４は、一版に知られている電子内視鏡装置に同様であり詳細には図示しないが、電子内視鏡と映像信号を処理・出力するためのプロセッサ装置とからなる。電子内視鏡は、体内へ挿入するための細長の挿入部とこの挿入部の後端に設けられた操作部とを有し、操作部にはレリーズ指示を行うレリーズスイッチが設けられており、このレリーズスイッチの押操作により画像の記録が可能となっている。
【００２１】
図２は、本内視鏡検査マネージメントシステムのソフトウェア構成を示す。各装置内のハードディスク内には、各種のアプリケーションソフト、データベース等がインストールされ、動作するようになっている。
【００２２】
ＧＷ１上では、ＧＷアプリケーションソフト２０が動作する。
サーバ５上のハードディスク２４では、データベース２１が動作し、また、入力／検査端末３で撮像された圧縮画像２２および検査のレポート情報２３が記録保存される。
【００２３】
受付端末２および入力／検査端末３および検索端末４のソフトウェア構成は共通となっており、これらの装置上では、メインアプリケーションソフト２７が動作する。メインアプリケーションソフト２７は主に、検査業務ＤＬＬ（ダイナミックリンクライブラリ）２９、カンファレンスＤＬＬ３０、統計・履歴ＤＬＬ３１、管理機能ＤＬＬ２８からなる。また、ハードディスク３５内には、圧縮画像３６が一時保存可能である。
【００２４】
上記のように、受付端末２および入力／検査端末３および検索端末４のソフトウェア構成は共通である。よって、違いは、何処に設置されるかによって使用目的が異なるのみであるといってよい。
【００２５】
ただし、入力／検査端末３のみは、画像記録／圧縮用の圧縮伸張装置１３が接続され、検査にて画像の撮像が実施可能になっている点で異なる。この圧縮伸張装置１３上では、圧縮伸張装置プログラム３７が動作し、装置内のメモリには、圧縮画像３８が一時保存可能である。また、圧縮伸張装置１３は、電子内視鏡装置１４と接続される。
【００２６】
次に、本内視鏡検査マネージメントシステムの動作について説明する。
先ず、検査に関する情報であり、また、本システムで管理する対象となる情報の種類について説明する。
【００２７】
本システムが管理する情報には、主に、以下１〜４の種類がある。
【００２８】
１．患者情報
・  患者基本情報
１人の患者を特定するための情報であり、「患者ＩＤ」「氏名」「生年月日」「性別」等からなる。「患者ＩＤ」は、各患者を識別できるように患者に一意に対応した番号である。
【００２９】
・  患者プロフィール情報
患者の特性や状態を表す情報であり、「血液型」「身長／体重」「アレルギー」「障害」「感染症」「疾患、注意事項」「検体検査結果」「前投薬情報」等からなる。
【００３０】
２．検査依頼情報
他の診療科から内視鏡部門に対して検査依頼が行われる場合の検査の依頼（オーダー）に関する情報である。オーダーキー情報（「オーダー番号」「発生日時」等）、依頼元情報（「依頼科名」「依頼医師名」「依頼日」等）、オーダー情報（「依頼病名」「検査目的」「検査種別」「検査項目」「検査部位」「コメント」「シェーマ画像」等）、検査予約情報（「検査日」「実施時刻」等）、等からなり、これらは、ＨＩＳ（ホスピタルインフォメーションシステム）から、部門システムに対して送信される情報である。オーダーキー情報は、１つの検査オーダーを一意に特定するための情報である。
【００３１】
３．  検査実施情報（会計情報）
検査の実施内容に関する情報であり、「実施日時」「実施者」「実施場所」、「手技」「薬品」「器材」等からなる。実施した「手技」や、使用した「薬品」「器材」等の情報は、会計の際に使用される情報である。これらの情報は、内視鏡部門のシステムからＨＩＳへ送信され、ＨＩＳの会計システムにて処理がなされる。
【００３２】
４．  検査結果情報（報告、レポート情報）
検査結果に関する情報であり、検査依頼に対しての報告（レポート）となる情報である。「報告日」「報告者」「診断」「所見」「処置」「コメント」「検査後注意・指示」「画像」「シェーマ画像」等からなり、これらの情報は、内視鏡部門内の医療用画像ファイリングシステムにて参照できるのに加え、本システムからＨＩＳへ送信されることで、各部門システムにおいても参照が可能である。よって、検査依頼を行った部門での検査結果（報告）の参照が可能である。
【００３３】
次に、各機能の画面の遷移について説明する。
＜システム起動・終了＞
図３は、システム起動・終了における遷移を表す。
システム起動・終了画面１０１を、図４に示す。メインアプリケーションソフト２７のＤＬＬ２８〜３１に相当する検査業務アイコン５２、カンファレンスアイコン５３、統計・履歴アイコン５４、管理機能アイコン５５を選択し、ユーザＩＤとパスワードを入力、ログインすると、各機能が起動できる形となっている。
【００３４】
図５にサーバ５内のデータベース２１に管理されているテーブル／マスタの構成を示す。ユーザＩＤおよびパスワードは、スタッフマスタ５６上に管理されており、入力されたユーザＩＤおよびパスワードと比較し、差異がなければ、認証できたものとして、各機能を起動する。尚、ユーザＩＤは、コンボボックス等での選択入力ではなく、直接ＩＤ番号の入力が可能であり、選択の煩わしさが軽減されるようになっている。また、終了ボタン６５を選択することで、システムの終了が行われる。
【００３５】
図６は、検査業務アイコン５２を選択し、検査業務メイン画面５８が起動した図である。画面左に、検査業務に対応したアイコンが並べられ、選択を行うことで、各画面が起動するようになっている。患者受付アイコン５９、前処置入力アイコン６０、撮影アイコン６１、実施入力アイコン６２、レポート入力アイコン６３、検査状況一覧アイコン６４、検査オーダボタン１００がある。
【００３６】
図７ないし図９は、検査業務メイン画面における遷移を表したものである。
【００３７】
＜患者受付＞
患者受付アイコン５９を選択することにより、未到着一覧画面７５が起動する。図１０に未到着一覧画面６０を示す。本画面では、データベース２１内の検査テーブル６５に管理される検査の状態および患者マスタ６６を参照することにより、未受付の患者のみの一覧６７を表示することができる。未受付一覧６７のうちの１つを選択することで表示されるメニューを選択することで、その検査に対して、オーダ゛詳細確認画面６８、検査中止画面６９、ワークシート印刷画面７０を開くことができる。
【００３８】
また、未到着一覧画面６０から、到着患者一覧ボタン７１を押すことで、図１１に示すような到着患者一覧画面７２を起動することができる。逆に、到着患者一覧画面７２上の未到着患者一覧ボタン７４を押すことで、未到着一覧画面６０を開くこともできる。
【００３９】
到着患者一覧画面には、受付済みの到着患者の一覧７３が表示されている。到着患者一覧７３は、データベース２１内の検査テーブルを参照することで、検査状態が、受付済みの検査のみを表示することができる。
【００４０】
＜前処置入力＞
前処置入力アイコン６０を選択することにより、図１２に示すような前処置未登録一覧画面７６が起動する。前処置未登録一覧画面７６は、前処置が未登録である検査の一覧７７が表示可能である（データベース２１内の検査テーブル６５を参照することで、受付済みかつ前処置の登録が未の状態である検査の一覧が表示できる）。
【００４１】
前処置未登録一覧７７のうちの１つを選択することで表示されるメニューを選択することで、その検査に対して、オーダ詳細確認画面６８、検査中止画面６９、ワークシート印刷画面７０を開くことができるとともに、前処置画面７８を開くことができる。
【００４２】
また、未到着一覧画面６０  ←→  到着済み一覧画面７２  の遷移と同様に、前処置未登録一覧画面７６  ←→  前処置登録済み一覧画面７９の切り替えを、処置済み患者一覧ボタン８０（未処置患者一覧ボタン）を押すことで、実行することができる。
【００４３】
＜撮影＞
撮影アイコン６１を選択することにより、図１３に示すような未撮影一覧画面８１が起動する。未撮影一覧画面８１は、撮影が未である検査の一覧８２が表示可能である（データベース２１内の検査テーブル６５を参照することで、受付済みかつ撮影が未の状態である検査の一覧が表示できる）。
【００４４】
未撮影一覧８１のうちの１つを選択することで表示されるメニューを選択することで、その検査に対して、オーダ詳細確認画面６８、検査中止画面６９、ワークシート印刷画面７０を開くことができるとともに、撮影画面８３を開くことができる。
【００４５】
また、ＭＯ取り込み画面を開くことで、撮影する替わりに、ＭＯに入れた画像データの登録を行うことができる。また、未到着一覧画面６０  ←→  到着済み一覧画面７２  の遷移と同様に、未撮影一覧画面８１  ←→  撮影済み一覧画面８５の切り替えを、撮影済み患者一覧ボタン８６（未撮影患者一覧ボタン）を押すことで、実行することができる。
【００４６】
＜実施入力＞
実施入力アイコン６２を選択することにより、図１４に示すような実施未送信一覧画面８７が起動する。
【００４７】
実施未送信一覧画面８７は、実施送信が未である検査の一覧８８が表示可能である（データベース２１内の検査テーブル６５を参照することで、撮影済みかつ実施情報の登録が未の状態である検査の一覧が表示できる）。
【００４８】
実施未送信一覧８８のうちの１つを選択することで表示されるメニューを選択することで、その検査に対して、オーダ詳細確認画面６８、ワークシート印刷画面７０を開くことができるとともに、実施画面８９を開くことができる。
【００４９】
また、未到着一覧画面６０  ←→  到着済み一覧画面７２  の遷移と同様に、実施未送信一覧画面８７  ←→  実施登録済み一覧画面９０の切り替えを、送信済み検査一覧ボタン９１（未送信検査一覧ボタン）を押すことで、実行することができる。
【００５０】
＜レポート入力＞
レポート入力アイコン６３を選択することにより、図１５に示すようなレポート未送信一覧画面９２が起動する。
【００５１】
レポート未送信一覧画面９２は、レポート送信が未である検査の一覧９３が表示可能である（データベース２１内の検査テーブル６５を参照することで、撮影済みかつレポート情報の登録が未の状態である検査の一覧が表示できる）。
【００５２】
レポート未送信一覧９３のうちの１つを選択することで表示されるメニューを選択することで、その検査に対して、オーダ詳細確認画面６８、または、レポート画面９４を開くことができる。
【００５３】
また、未到着一覧画面６０  ←→  到着済み一覧画面７２  の遷移と同様に、レポート未送信一覧画面９２  ←→  レポート登録済み一覧画面９５の切り替えを、送信済み検査一覧ボタン９６（未送信検査一覧ボタン）を押すことで、実行することができる。
【００５４】
＜検査状況一覧＞
検査状況一覧アイコン６４を選択することにより、図１６に示すような検査状況一覧画面９７が起動する。
【００５５】
検査状況一覧画面９７は、各検査の状況一覧９８が表示可能である（データベース２１内の検査テーブル６５を参照することで、各検査の状態を取得し、一覧表示ができる）。
【００５６】
また、検査状況一覧９８のうちの１つを選択することで表示されるメニューを選択することで、その検査に対して、オーダ゛詳細確認画面６８、検査中止画面６９、前処置画面７８、実施入力画面８９、撮影画面８３、レポート画面９４、ワークシート印刷画面７０を開くことができる。
【００５７】
また、一覧表印刷ボタン９９を押すことで、検査状況基地欄画面９７に表示されている検査状況一覧の印刷を行うことができる。
【００５８】
＜検査オーダ＞
検査オーダボタン１００を押すことで、図１７に示すような部門内オーダ登録画面１０１が起動する。
【００５９】
部門内オーダ登録画面１０１は、ＨＩＳからのオーダ情報を受信できない場合に、自システムの中で検査オーダを発行するために使用する。患者情報（患者ＩＤ、患者名、生年月日、性別、入院／外来区分）１０２、および検査情報（検査予定日、検査予定時間、検査種別、検査項目、依頼病名、検査理由、依頼時コメント）１０３、等が入力でき、登録ボタン１０４を押すことで、入力した情報が検査のオーダとしてデータベース２１内に登録される。患者情報１０２は、患者マスタ６６に、検査情報１０３は、オーダ情報テーブル５７にそれぞれ管理される。
【００６０】
次に、検査の流れに沿って、動作を説明する。図１８は、検査の流れを示す。
【００６１】
＜ステップ１（Ｓ１）＞
他の診療科から、内視鏡部門への検査依頼が発生すると、ＨＩＳから患者情報（患者基本情報、患者プロフィール情報）と、検査依頼情報（オーダー情報、依頼元情報、検査予約情報）が送信され、本システムがこれらの情報を受信する。詳しくは、ＧＷ１上のＧＷアプリケーションソフト２０がＨＩＳからの情報を受信し、データベース２１内の検査テーブル６５、患者マスタ６６、オーダ情報テーブル５７に情報を登録する。
【００６２】
患者のプロフィール情報がある場合は、患者マスタにひも付けし、注意事項テーブル１０５に登録される。
【００６３】
また、ＨＩＳが接続されていないなど、ＨＩＳからの検査オーダを受信できない場合は、前述の部門内検査オーダ画面１０１を起動し、部門内でオーダの発行が可能である。
【００６４】
検査を中止したい場合は、前述の検査中止画面６９を起動する。図１９に検査中止画面６９を示す。検査中止画面６９からは、中止の指示者１１９、中止日１２０、中止理由１２１が入力でき、それぞれ、データベース２１内の検査テーブルに登録がなされる。又、検査テーブル上の検査のステイタスは、検査中止の状態に変更される。
【００６５】
検査中止においては、以下の条件で制御を行う。
（１）中止が可能であるのは、撮影の開始前までとする。
（２）検査中止は、検査オーダのキャンセルとは処理が異なり、検査オーダの取り消しとはしない（検査の一覧表からは削除しない）。
（３）患者の受付処理後、または、検査の締め切り時間後は、ＨＩＳからの検査オーダの修正、キャンセルは、不可能とする（検査中止が可能）。
【００６６】
このような形とするのは、検査の依頼医と検査スタッフとに情報のずれを生じさせないようにするためである。
【００６７】
検査が始まってしまってから、検査オーダが修正されたり、検査オーダが中止されたことが、伝達されない等を防ぐためである。
【００６８】
＜ステップ２（Ｓ２）＞
本システムでは、受信した検査予約情報を元に予約の管理を行い、前述のように予定されている検査一覧を各状態にあわせて表示することが可能である。依頼内容の紹介を行うには、オーダ詳細確認画面６８を起動する。図２０は、オーダ詳細確認画面６８を示す。
【００６９】
受付端末２、入力／検査端末３は、ともに共通のソフトウェアを搭載しており、受付端末２、入力検査端末３のどちらからでも、（もしくは検索端末４からでも）この画面照会が可能である。
【００７０】
オーダ詳細確認画面６８は、主に、患者基本情報の表示エリア１０２、依頼元情報の表示エリア１０３、オーダ情報の表示エリア１０４、患者プロフィール情報の表示エリア１０５、過去検査の表示ボタン１０６から構成され、データベース２１から取得した各情報がそれぞれ表示される。
【００７１】
患者プロフィール情報は、データベース２１内の注意事項テーブル１０５から取得表示されるが、表示はオーダ情報が発行された時点の情報と、最新の取得情報１０８との２つが、取得の日時とともに表示される。これは、検査オーダの発行日から実際の検査日までに期間がある場合、検査オーダの発行時点から、検査日までに患者プロフィール情報の変更が発生している可能性が考えられるためである。
【００７２】
また、患者プロフィール情報１０５の個々の表示においても、それぞれ、状態１０９、名称（感染症、アレルギー情報、注意事項、障害情報、等）１１０、とともに検査の日付情報１１１が表示され、情報のタイムラグについて確認することができるようになっている。これらの各患者プロフィール情報は、データベース２１内の注意事項テーブルから取得、表示している。
【００７３】
また、患者プロフィールの状態表示１０９には、“＋”、“あり”、“−”、“なし”  という結果がはっきりと判明しているもの以外に、“？”、“不明”、“未検査”、“未入力“  という状態表示が容易され、状態を必ず表示するようにしている。
【００７４】
よって、”  “  のように表示がない時、”−“や”なし“であるのか、情報がないだけで、”−“や”なし“と判断してはいけないのか等、誤解を生じ易い状況を防ぐようにした。
【００７５】
＜ステップ３（Ｓ３）＞
次に、検査の前に、患者に対して麻酔等の検査前処置を行う際に使用する画面の説明を行う。
【００７６】
前処置入力を行うには、前処置入力画面７８を起動する。図２１は、前処置入力画面７８を示す。
【００７７】
この前処置入力画面７８も受付端末２、入力検査端末３のどちらからでも（もしくは検索端末４からでも）表示が可能である。
【００７８】
前処置入力画面７８は、主に、患者基本情報の表示エリア１１２、検査オーダ情報の表示エリア１１４、アレルギー情報や疾患・注意事項等の注意事項の表示エリア１１３、前処置情報の入力を行う前処置実施内容表示エリア１１５とで構成される。
【００７９】
データベース２１内の前処置テーブル１１６から取得した前処置に関する各情報が表示され、また、前処置において実施した項目（投薬の内容）が追加入力可能である。データベース２１内の薬剤マスタ１５４から選択候補を取得し、ウィンドウに表示し、選択を行うことで、前処置テーブル１１６に選択した薬剤情報を登録することができる。ここで入力した情報は、データベース２１内の前処置テーブル１１６から後に取得され、検査実施情報とともに、ＨＩＳへ送信され、会計に使用される。
【００８０】
前処置の指示医１１７、実施者１１８を入力し、前処置の確認・入力が完了したならば、登録ボタン６５を押すことで、情報をデータベース２１に登録することができる。また、前処置が完了したとして、検査テーブル６５上に管理される検査ステイタスは、前処置済みとなる。
【００８１】
また、前処置の実施の際等に追加で判明した患者の注意事項（プロフィール情報）は、受信した注意事項（患者プロフィール情報）に対して修正することができる。前処置画面７８上の修正ボタン１２２を押すと、図２２に示すような注意事項（患者プロフィール情報）の修正ウィンドウ１２３が開く。
【００８２】
ここで表示される注意事項のチェックボックス１２４にチェックをＯＮ／ＯＦＦすることで、情報の修正登録が可能である。修正された情報は、最新情報として、データベース２１内の注意事項テーブル１０５に登録される。但し、チェックをＯＮする場合はよいが、チェックをＯＦＦする場合は、ユーザＩＤおよびパスワードの入力を求め、スタッフマスタ５６との認証を行うとともに、記録として残すようにした。これは、注意事項を追加してより注意する方向にはよいが、注意事項を外すことによって、本来注意すべき内容に注意が払われないことを防ぐためのものである。
【００８３】
＜ステップ４（Ｓ４）＞
次に、図１８のステップ４に示す撮影時の動作について説明する。
前述の撮影画面８３を起動することで、撮影を行うことができる。図２３に撮影画面８３を示す。この撮影画面は、各画面の左部で表示している患者情報、検査オーダ情報に加え、右部に検査室／検査装置情報１２５、撮影画像情報１２６、検査実施情報入力エリア１２７、が表示される。
【００８４】
この画面が表示されると、検査室に設置されている入力／検査端末３上に、患者情報が送信され、接続されている電子内視鏡装置１４上に、患者情報が表示される。
【００８５】
さらに、入力／検査端末には、磁気カードリーダー１２が接続されているため、患者の磁気カードを挿入し、患者基本情報を入力することで、検査一覧の中から、入力された患者基本情報と一致するものを照合し、自端末への検査の割り振り（引き込み）制御を自動で行うことも可能である。
【００８６】
このように検査装置患者情報の送信が完了すれば、実際に検査の実施が可能状態となり、撮影ボタン６８を押すことで、撮影を開始することができる。
【００８７】
撮影画像表示エリア１２６には、電子内視鏡装置１４にてレリーズが行われる毎に撮影された画像の縮小画像が順次表示されるようになっている。
【００８８】
レリーズ時、撮影された画像は、先ず圧縮伸張装置１３に取り込まれ、画像の圧縮処理が行われる。圧縮画像は患者基本情報とともに、圧縮伸張装置１３内のメモリに一時記録されるとともに、入力／検査端末３のパソコン８内に転送される。もしも、ケーブルの断線等で、画像の転送に失敗するような場合でも、圧縮伸張装置１３内のメモリに画像を一時記憶可能なため、撮影は中断することなく実施が可能である。
【００８９】
また、入力検査端末３のパソコン８内に転送された画像はハードディスク３５内に一時記録され、同時にサーバ５内のハードディスク２４内へ転送される。ここでも、ケーブルの断線等で、画像の転送に失敗するようなことがあっても画像データは、入力／検査端末３のハードディスク３５内に記憶されているため、撮影等の中断を防ぐことが可能である。
【００９０】
前述の縮小画像７１は、このハードディスク３５に記録された圧縮画像３６を伸張表示することによって表示を行っている。
【００９１】
そして、電子内視鏡装置１４上の検査終了ボタンが押されたことで、撮影処理が終了し、データベース２１内の検査テーブル６５に管理されている検査のステイタス情報は、撮影終了状態となる。
【００９２】
以上の検査における撮影動作の制御は、入力検査端末３上のメインアプリケーションソフト２７の検査業務ＤＬＬ２９にて制御されている。
【００９３】
撮影された画像は、検査テーブル６５上の検査に紐付けられた形で、画像管理テーブル１２８上に保存位置を示すポインタ情報が登録される。
【００９４】
また、この撮影画面において、後述するレポートに添付する画像として、特徴的な代表画像を選択し、登録することができ、選択・登録された画像の縮小画像上には、１３６に示すように、臓器名が添付される。選択したい画像をマウスでクリックすると、図２４の選択メニュー１３７が表示され、臓器の指定１３９を行うことで、画像上部に指定した臓器名が表示される。１３６は、“胃“を指定した状態である。ここで指定した臓器名情報は、データベース２１内の選択画像テーブル１３８内に画像番号とともに登録される。
【００９５】
このように、選択した画像に対して臓器名を登録しておくことで、後から参照した場合であっても、どの臓器（部位）の画像であったかがわかる。特に、大腸や気管支鏡検査の場合、撮影される画像の特徴が似ているため、撮影時点で、臓器（部位）名を登録しておくことが有効である。さらに、保険請求上、どの臓器（部位）に対して検査を実施したのか、処置や手術を行ったのかで点数が変化するため、会計処理の際、登録情報が有効になる。さらに、レポート上で、画像を各臓器（部位）毎に分けて表示する等の場合にも、この臓器名の情報が不可欠となる。
【００９６】
さらに、特開２００１−１２０４９８や特開２００３−３８４１３号公報に開示されているように、画像上に組織を採取（生検）した位置等のマーキングを行い、この情報をもとに病理部門への検査オーダを発行することが考えられているが、この組織採取（生検）も採取する対象の臓器の数により保険点数が変化するため、会計処理の際、登録情報が有効となる。また、病理部門における会計処理に関しても必要な情報である。
【００９７】
また、個々の画像に対しては、コメントを入力することができ、選択メニュー１３７上のコメント入力１４０を指定することで、コメント入力用のウィンドウが開き、コメント入力が可能である。ここで入力されたコメントは、データベース２１内の画像情報テーブル１４１に登録される。
【００９８】
さらに、選択メニュー１３７は、縮小画像を選択し、画像表示１４１を指定することで、原寸大の原画像を表示したり、プリンタ出力／出力解除１４２を指定することにより、ビデオプリンタへの出力する画像の指定ができる。
【００９９】
画像表示１４１が指定された場合は、サーバ５内の圧縮画像２２が取得／伸張処理され、原画像の表示が行われる。又、ビデオプリンタの出力の指定が行われた場合は、データベース２１内の選択画像テーブルに登録が行われ、撮影画面上のビデオプリンタ印刷ボタン１４３を押すことで、ビデオプリンタ出力の選択がされている画像の印刷を行うことができる。
【０１００】
また、本撮影画面では、画像の撮影以外に下記（１）〜（５）の情報の入力が可能となっている。
【０１０１】
これらは、従来、撮影画面からは入力できなかった情報であり、検査後、別の画面からの入力が必要であった。
【０１０２】
しかし、本来、撮影時にその場所で入力を行うことが、効率よく、間違いなく入力可能であることから、撮影画面での入力を可能とした。
【０１０３】
（１）  実施医
実施医入力ボタン１２９を押すことで、検査を実施した医師名の選択を行うウィンドウが開く。医師名の選択が行われると、データベース２１内の実施テーブル１３４に、その情報が登録される。検査は、複数人で行われることがあるため、実施医は、複数人の選択が可能である。
【０１０４】
（２）使用スコープ
スコープ入力ボタン１３０を押すことで、検査で使用したスコープを選択するウィンドウが開く（データベース２１内のスコープマスタ１５５から選択候補を取得し表示する）。使用スコープが選択されると、データベース２１内の検査スコープテーブル１３５に、その情報が登録される。スコープは途中で交換することもあるため、複数のスコープが登録可能である。
【０１０５】
（３）  撮影開始時刻
撮影画面が開かれた時刻が、開始ボタン１３３の横に表示される。開始ボタン１３１を押すことで、撮影開始時刻を入力するウィンドウが開き、時刻が変更可能となっている。この撮影開始時刻は、データベース２１内の検査テーブル６５内に撮影開始時刻が登録される。
【０１０６】
（４）撮影終了時刻
電子内視鏡装置１４上の検査終了ボタンを押すことで、検査終了の時刻が終了ボタン１３２の横に表示される。また、終了ボタン１３２を押すことで、撮影終了時刻を入力するウィンドウが開き、撮影終了時刻が変更可能となっている。この撮影終了時刻は、データベース２１内の検査テーブル６５内に撮影終了時刻が登録される。
【０１０７】
（５）検査項目
検査項目ボタン１３３を押すことで、検査項目を選択入力するためのウィンドウが開く。検査項目が選択されると、データベース２１内の検査テーブル６５内に選択した検査項目が登録される。
【０１０８】
検査オーダ時に指定されていた検査項目と、実際に実施した検査項目とに差異が生じる場合があり、これを考慮し、撮影画面では、実際に実施した検査項目を選択し、登録することができる（オーダ時は、スクリーニングの予定であったが、病変を発見したため、実際には処置を実施した等の場合）。
【０１０９】
又、上記（３）撮影開始と（４）撮影終了時刻は、撮影画面を開かずに電子内視鏡１４から患者ＩＤを入力して検査した場合等を想定し、自動で時刻の登録が可能である。
【０１１０】
以下の制御により、各時刻の登録を行っている。
――撮影開始時刻――
Ｃａｓｅ１  撮影画面を開いた時刻を登録する。
Ｃａｓｅ２  撮影画面を開いた後、より正確な時刻を記録したい場合は、開始ボタン１３１により入力を行う。
Ｃａｓｅ３  撮影画面を開かずに撮影を実施した場合には、１枚目の画像を記録した時刻を登録する。
【０１１１】
――撮影終了時刻――
Ｃａｓｅ１  電子内視鏡装置１４から検査終了を行った時刻、又は、観測装置の電源がＯＦＦされた時刻を登録する。
Ｃａｓｅ２  Ｃａｓｅ１の処理からでなく、より正確な時刻を記録したい場合は、終了ボタン１３２により入力する。
Ｃａｓｅ３  撮影画面を開かずに撮影を実施した場合は、Ｃａｓｅ１に同じ処理となる。
【０１１２】
＜ステップ５（Ｓ５）＞
次に、図１８のステップ５に示す実施情報の入力時の動作について説明する。
【０１１３】
前述の実施入力画面８９を起動することで、実施情報の入力を行うことができる。図２５に実施入力画面８９を示す。この実施入力画面は、各画面の左部で患者情報、検査オーダ情報を表示するのに加え、右部で検査における実施内容（実施医１４４、看護師１４５、手技１４６、加算１４７、薬剤１４８、器材１４９、スコープ１５０）の登録が可能となっている。
【０１１４】
また、前処置入力へのボタン１５６を押すことで、前処置入力画面７８を開くことができる。
【０１１５】
各ボタン１４４〜１５０を押すことで、各情報の入力用ウィンドウが開き、登録する実施情報の選択入力が可能となっている。
【０１１６】
（１）実施医
データベース２１内のスタッフマスタ５６から選択候補を取得し、ウィンドウに表示し、選択を行うことで、実施テーブル１３４に選択した実施医情報を登録することができる。
【０１１７】
但し、撮影画面８３にて、既に実施医情報が登録されている場合は、実施入力画面を開いた時点で、その情報を表示することが可能である（また、本画面からの変更登録も可能）。
【０１１８】
（２）  看護師
データベース２１内のスタッフマスタ５６から選択候補を取得し、ウィンドウに表示し、選択を行うことで、実施テーブル１３４に選択した看護師情報を登録することができる。
【０１１９】
（３）  手技
データベース２１内の手技マスタ１５１から選択候補を取得し、ウィンドウに表示し、選択を行うことで、実施テーブル１３４に選択した手技情報を登録することができる。
【０１２０】
（４）  加算
データベース２１内の加算マスタ１５３から選択候補を取得し、ウィンドウに表示し、選択を行うことで、実施テーブル１３４に選択した加算情報を登録することができる。
【０１２１】
（５）薬剤
データベース２１内の薬剤マスタ１５４から選択候補を取得し、ウィンドウに表示し、選択を行うことで、実施テーブル１３４に選択した薬剤情報を登録することができる。
【０１２２】
但し、前処置画面７８にて、既に前処置時の薬剤情報が登録されている場合は、実施入力画面を開いた時点で、その情報を表示することが可能である（前処置時に投与した薬剤と、検査実施時に投与した薬剤とは区別するため、本画面からの変更登録はできない）。
【０１２３】
（６）  器材
データベース２１内の器材マスタ１５２から選択候補を取得し、ウィンドウに表示し、選択を行うことで、実施テーブル１３４に選択した器材情報を登録することができる。
【０１２４】
（７）スコープ
データベース２１内のスコープマスタ１５５から選択候補を取得し、ウィンドウに表示し、選択を行うことで、検査スコープテーブル１３５に選択したスコープ情報を登録することができる。
【０１２５】
但し、撮影画面８３にて、既にスコープ情報が登録されている場合は、実施入力画面を開いた時点で、その情報を表示することが可能である（また、本画面からの変更登録も可能）。
【０１２６】
このようにして、各実施情報を選択入力し、情報の登録を行うと、実施情報の入力が完了し、データベース２１内の検査テーブル６５内に管理されている検査ステイタスの状態は、実施入力完了状態となる。
【０１２７】
また、入力された実施情報は、ＧＷ１により前処置入力画面７８で入力された前処置情報とともに、ＬＡＮを通してＨＩＳに送信が行われる。ＨＩＳでは、この前処置情報、検査実施情報をもとに会計処理を行い、保険請求点数等の計算処理を行うことが可能である。
【０１２８】
但し、この前処置情報と検査実施情報の送信に伴って、ＨＩＳでの会計処理が実施されるため、前処置情報や検査実施情報の変更／修正入力が行われても、既に会計処理済みの場合が生じる。よって、前処置画面７８および実施入力画面８９にて、一度登録した情報の変更入力がされ、修正登録がされようとする場合は、既に会計済みの可能性がある旨のメッセージを表示し、通知するようにしている。
【０１２９】
＜ステップ６（Ｓ６）＞
次に、図１８のステップ６に示すレポート入力時の動作について説明する。
図２６に示すような前述のレポート入力画面９４を起動することで、レポートの入力を行うことができる。このレポート入力画面９４は、各画面と同様に左部で患者情報、検査オーダ情報を表示するのに加え、右部で検査レポートの内容（所見および処置１５６、診断１５７、コメント１５８）の登録が可能となっている。
【０１３０】
（１）所見および処置
データベース２１内の用語マスタ１５９から選択候補を取得し、ウィンドウに表示し、選択を行うことで、実施テーブル所見用語情報テーブル１６０および処置用語情報テーブル１６１に選択した所見用語および処置用語を登録することができる。
【０１３１】
（２）診断
データベース２１内の用語マスタ１５９から選択候補を取得し、ウィンドウに表示し、選択を行うことで、診断用語情報テーブル１６２に選択した診断用語を登録することができる。
【０１３２】
所見および処置、診断の選択候補として表示するウィンドウは共通の動作をする。所見入力の例を図２７に示す。
【０１３３】
図２７の用語ウィンドウ１６３は、食道における用語の表示例であり（用語は内視鏡標準用語であるＭＳＴを使用している）、レポート入力画面９４上の食道ボタン１６２を押すことで表示される。また、図２８に示す用語ウィンドウ１６４は、ウィンドウ１６３上の選択用語の１つである狭窄１６５を選択した際に開いたウィンドウであるが、例えば、ＭＳＴの階層にしたがって、
（臓器）−（用語のグループ）−（所見用語）−（属性のタイトル）−（属性値）−食道−内腔−狭窄−スコープ通過−可能
という内容を入力したいとした場合、ウィンドウ上の入力手順は、次のようになる。
【０１３４】
手順１  食道ボタン１６２を押すと、ウィンドウ１６３が表示される。
手順２  ウィンドウ１６３上の、狭窄１６５を選択すると、ウィンドウ１６４が表示される。
手順３  ウィンドウ１６４上のスコープ通過“可能”のチェックボックス１６６にチェックをつける。
（このように、２階層同時に１つのウィンドウで表示する構成としたため、選択の手順は、３回で済む形となる。従来階層に従ってツリーを選択し、入力をしていたが、この場合は５回の入力を要していた。）
また、各臓器（部位）に対しての入力を行っても良いが、各臓器（部位）ともに、正常である場合を考慮して、“全て正常“というメニューを用意してもよい。この場合は、１回のメニュー選択により、各臓器（部位）に対して、”正常”との入力が可能である。
【０１３５】
（３）コメント
コメントボタン１６７を押すことで、図２９に示すような入力したいコメントの種類を決定するためのコメントメニュー１６８が表示され、コメントメニュー１６８上の選択肢を指定することで、テキスト情報の入力用ウィンドウが開き、各種コメント入力を行うことができる。入力されたコメント情報は、データベース２１内の病変テーブル１６８に登録される。
【０１３６】
検査後指示１６９を指定した場合の例を図３０に示す。選択候補ウィンドウ１７０の選択候補エリア１７１には、データベース２１内の用語マスタ１５９から呼び出された定型文が表示され、この定型文の選択によりテキスト情報入力エリア１７２にセットされる。このテキスト情報入力エリア１７２内の情報は、フリーテキストにて編集可能である。
【０１３７】
また、この選択候補ウィンドウ１７０上には、ＦｏｌｌｏｗＵｐ期間（次回検査予定日）の指定エリア１７３が設けられ、チェックボックス１７４をチェックし、ＦｏｌｌｏｗＵｐ予定の期間１７５を選択入力することができる。
【０１３８】
ここで、入力された、フリーテキストの検査後指示情報およびＦｏｌｌｏｗＵｐ期間情報は、データベース２１内の病変テーブル１６８に登録される。
【０１３９】
特に、ＦｏｌｌｏｗＵｐ期間情報は、このように選択式で、情報を登録しておくため、後に検索を行い、ＦｏｌｌｏｗＵｐが必要な患者の一覧を表示することが可能となる。
【０１４０】
また、各レポート情報（１）〜（３）は、撮影／記録を行った画像を参照しながら入力することができる。
【０１４１】
レポート入力画面９４（図２６参照）の左上部にある、表示情報の切替ボタン１８１を押すと、画面左部の患者情報および検査オーダ情報を表示しているエリアを切り替え、レポートに添付として選択した画像を表示することができる。
【０１４２】
図３１に、表示情報の切替ボタン１８１（図２６参照）を押し、表示を切り替えた状態を示す。撮影画面８３にてレポートに添付として選択された画像のポインタ情報が、データベース２１内の選択画像テーブル１３８内に管理されているため、それを参照することで、レポート添付画像１８２を表示することができる。これらのレポート添付画像が、レポート情報の入力エリアに重ならずに表示可能であるため、画像を参照しながらのレポート情報の入力が可能である。
【０１４３】
（４）シェーマ
レポート入力画面９４の上部にあるシェーマ選択ボタン１８３を押すことで、シェーマ画像の編集ウィンドウ１８４を開くことができる。シェーマ画像の編集ウィンドウ１８４を開いた状態を、図３２に示す。シェーマウィンドウ１８４は、主にレポート添付画像の表示エリア１８５、シェーマ表示エリア１８６、編集用ボタン１８７とからなり、シェーマ表示エリアに表示するシェーマの種類は、シェーマ画像ボタン１８８を押すことで選択肢が表示され、所望の種類のシェーマ表示が選択可能である。
【０１４４】
選択したシェーマの種類は、データベース２１内の選択シェーマテーブル１８９に登録される。また、選択したシェーマに対しては、編集用ボタン１８７を押すことで、編集用のツールが選択でき、直線、矢印、長方形、楕円、テキスト文、等による編集が可能である。シェーマに加えた編集内容は、シェーマとは独立して管理され、データベース２１内のシェーマ編集テーブル１９０に登録が行われる。
【０１４５】
さらに、シェーマ取り込みボタン１９１を押すことで、外部画像をシェーマとして取り込みを行うことができ、フロッピーディスク（登録商標）やＭＯディスク等のオフラインメディアを指定しての画像取り込みが可能である。
【０１４６】
図３３に、シェーマ取り込みボタン１９１を押し、外部画像取り込み用ウィンドウ１９２を開いた状態を示す。外部画像を取り込むドライブ、フォルダを指定するボックスにて、取り込み先を選択することで、指定した取り込み先に保存されている画像の一覧１９４が表示されるようになっており、一覧の中からシェーマとして取り込みたい画像を選択することで、取り込みが可能となっている。取り込みが行われた画像は、サーバ５内のハードディスク２４に格納され、ポインタ情報は、データベース２１内の選択画像テーブル１９５に登録される。このように取り込みが完了すると、レポート入力画面９４の下部に外部画像アイコン１９６が表示される。このアイコン１９６を押すと、取り込んだ外部画像が表示され、参照が可能である。
【０１４７】
このようにしてレポート情報の入力を終えると最後にレポート入力画面９４上の右下部にある登録ボタン１７６を押すことで、入力した各レポート情報を登録完了することができる。
【０１４８】
登録ボタン１７６を押した際には、図３４に示す認証ウィンドウ１７７が表示し、送信者のユーザＩＤとパスワード１７９を入力することで認証を行う。認証は、データベース２１内のスタッフマスタ５６に登録されているスタッフのユーザＩＤとパスワードと入力情報が一致しているかを確認することで、行なう。
【０１４９】
また、認証ウィンドウ１７７上には、レポートステータス１７８を入力するためのラジオボタンが配置され、このレポートステータスの、中間／最終を選択することで、レポートが中間であるのか、最終レポートであるのかを区別して登録することができる。
【０１５０】
さらにレポートは上書き登録を禁止し、中間レポートの１版、２版、３版  …、最終レポートの１版、２版、３版  …  というように、版管理を行う（履歴管理をする）。
【０１５１】
データベース２１内のレポート管理テーブル１８１に各レポート情報にリンクしたポインタ情報が管理され、レポートを構築可能となっているが、このレポート管理テーブル１８１上に前述のレポートステータスとバージョンが管理され、各レポートの上書きなく、履歴を管理することが可能である。
【０１５２】
＜ステップ７（Ｓ７）＞
このように、送信したレポート情報は、内視鏡部門のシステム内で参照可能となるとともに、ＧＷ１によりＬＡＮを通してＨＩＳに送られ、ＨＩＳの電子カルテシステムにおいても参照が可能となる。
【０１５３】
さらに、レポートの登録、送信にあわせ、特開２００１−１２０４９８号公報や特開２００３−３８４１３号公報に開示されているように、レポート情報を基にして、病理オーダの発行（ステップ１０（Ｓ１０））を行ってもよい。病理オーダを発行した場合は、データベース２１内の病理オーダ管理テーブル１９８にその情報を登録し、病理オーダに添付した画像を病理画像テーブル１９９に登録する。さらに、病理オーダが発行されたことを示すアイコン１９７を、レポート画面９４の下部に表示する。
【０１５４】
また、レポートを再登録／送信して、版数が上がる場合、病理オーダも同様に再送信が必要かは一意ではない。
【０１５５】
よって、レポート入力画面上部に、病理オーダを合わせて送信するか否かを決定するチェックボックス２００を設け、チェックボックス２００にチェックがつけられた時のみ、病理オーダを合わせて発行するように制御している。
【０１５６】
図３５ないし図３７は、図１８のワークフローの中から、ここまでに説明したステップ４（Ｓ４）からステップ６（Ｓ６）までを抜き出し、さらに臓器（部位）数に関しての自動入力に関し、詳細なフローを加えたものである。
【０１５７】
ステップ４（Ｓ４）の説明にて、撮影画面において、レポートに添付する画像として、特徴的な代表画像を選択・登録することができ、選択・登録された画像の縮小画像上には、臓器名が添付され、この情報がステップ５（Ｓ５）以降の実施入力やレポート入力において有効に活用される旨を説明したが、この図３５ないし図３７で、その動作について説明する。
【０１５８】
撮影画面８３を起動（２１８）し、画像の撮影を実施すると、画面上に順次、縮小画像１２６が表示される。この縮小画像１２６の中の所望の画像をマウスでクリックする（２２０）ことで、臓器名の選択肢１３９が表示され（２２１）、選択肢１３９の中から適切な臓器名を選択する（２２２）と、データベース２１内の選択画像テーブル１９５にその臓器名データが画像番号とともに登録（２２３）される。画像の選択は、複数行うことができ、複数選択すると、その都度、選択画像テーブル１９５に情報が追加されていく。又、ここでは、検査終了ボタンを押す（２２４）の前に、画像選択をする例を記載しているが、検査終了ボタン（２２４）を押し、撮影終了直後にこの撮影画面８３上で引き続き選択入力（２２０〜２２３）を繰り返してもよい。
【０１５９】
このようにして、各選択画像に対して臓器名データが登録されているため、ステップ５（Ｓ５）の実施入力と、ステップ６（Ｓ６）のレポート入力において臓器に関する自動化が可能となっている。
【０１６０】
実施入力画面８９では、入力する入力項目の１つに、手技１４６があるが、ここでは、実施した手技の種類と数を入力している。内視鏡検査においては、組織の一部を採取（生検）し、病理部門への組織診検査の依頼を出すケースが頻繁にあるが、この生検の行ためも手技として入力を行っており、生検した臓器の数に応じて保険点数が算定される。同じ臓器から何回もの生検を実施しても点数は変わらないが、異なる臓器から生検を実施した時に始めて点数が加算される。本システムでは、この手技１４６入力における、生検の臓器数入力が自動化可能である。
【０１６１】
実施入力画面８９を起動（２２６）し、実施入力画面を開いた際、プログラムはデータベース２１内の選択画像テーブル１９５を確認し、１つ目の選択画像に生検マーキングが加えられているか否かを判断（２２７）する。
【０１６２】
生検場所を示すマーキングの入力は、特開２００１−１２０４９８号公報や特開２００３−３８４１３号公報に開示されているように、撮影画面での入力が同様に可能となっているが、ここで、マーキングがあったとすると、臓器数をカウント（２２９）し、数を＋１する。１つ目の画像であるので、同じ臓器名が既に選択済みであるか否かの判断（２２８）は“ＮＯ”となるが、他にも選択画像が有り（２３０）、生検マーキングがあるか否かの判断（２２７）を繰り返した際に、既に同じ臓器が選択済みか否かを判断（２２８）し、“ＹＥＳ”の場合は、臓器数のカウント（数の＋１）はスキップする。
【０１６３】
このようにして、全ての選択画像のチェックを行い、何臓器から生検がおこなわれたのかをカウント可能である。よって、手技１４６の欄に表示すべき生検の数がわかり、自動で表示（２３１）を行うことができる。
【０１６４】
つまり、実施入力画面を開くと最初にこのカウントが行われ、生検マーキングの入力と画像の選択が実施されていれば、自動で、手技１４６のエリアに表示が行われる。自動で表示がされているので、入力の手間が省け、入力のし忘れを防ぐことができる。これに引き続き他の各実施入力（２３２Ａ）を行い、実施入力を終了（２３３）する。また、自動で入力／表示された生検情報は、変更も可能である。
【０１６５】
次にレポート入力画面９４を起動（２３４）すると、まず、選択画像が有るか否かが判断（２３５）され、選択画像がある場合は、臓器名に応じた位置に画像が表示（２３６）される。他にも選択画像がある（２３８）場合は、この動作を繰り返す。これにより、画像は、臓器毎に区別して表示することができる。つまり、レポート画面９４を開くと最初に画像が臓器毎に表示され、続けてレポート情報の入力（２３８）を行うことができる。図２６の２４０〜２４２は、選択された画像のアイコンを示しており、この図では、食道の画像として選択された画像が２枚（２４０と２４１）と胃の画像として選択された画像が１枚（２４２）ある状態を示している。このように、撮影画面において、撮影したその場で選択入力しておくことで、後のレポート画面で、自動で臓器毎に表示が可能である。撮影したその場または直後に入力するため、入力のし忘れや間違い等も防止可能であり、また、レポートの画面としても、臓器毎に表示され、見易くレイアウトされている。
【０１６６】
さらに、本システムでは、入力されたレポート情報を利用しての病理オーダ出力が可能であるが、病理オーダを出力する際に、前述の臓器数情報をあわせて、送信することが可能である。この臓器数の情報は、内視鏡検査においてと同様に、病理組織診検査においても必要な情報であり（保険点数が関わる）、病理オーダのオーダ情報とともに送信することで有効活用が可能である。（病理システムでのカウントが不要になる）
次に記録・保存した画像およびレポート情報の参照および編集の方法について説明する。
【０１６７】
図３８は、システム起動・終了画面１０１にて、カンファレンスアイコン５３を選択し、ログインした際に起動するカンファレンス画面２０１を示した図である。
【０１６８】
画面左部には、所望の検査を検索するための検索ボタンのグループ２０２が用意されており、これらのアイコンを選択することで、所定の条件により、データベース２１内が検索され、検索結果が検査一覧２０３として表示される。
【０１６９】
検索ボタンのグループ２０２には、今日、１週間、２週間、レポート未登録、病理依頼検査、条件検索といったボタンが用意され、例えば１週間ボタンを押すことで過去１週間以内に実施された検査の一覧がリスト表示され、例えば、条件検索ボタンを押した場合には、各種の入力条件にて絞り込み検索を行った結果、該当する検査の一覧が２０３に表示される。
【０１７０】
このようにして、一覧表示表示した検査２０３のうちの１つをクリックすると、画像を表示するか、レポートを表示するかを選択するメニューが表示されるため、どちらかを選択し、画像またはレポートの表示画面を起動する。
【０１７１】
メニューから“画像表示“を選択し、起動した画像表示画面２０４を図３９に示す。レイアウトは、撮影画面と類似しているが、検査実施情報（実施医、使用スコープ、撮影開始／終了時間、等）の入力機能がない点で異なっている。
【０１７２】
また、カンファレンス用に機能が追加されており、患者変更ボタン２０５を押すことで、一覧表示した検査２０３の中で、前の／次の検査の画像を表示することができる。
【０１７３】
また、選択した画像を、フロッピーディスクや、ＭＯディスクにコピーするための機能が用意されており、画像の選択後、画像コピーボタン２０６を押すことで、コピー先、形式等を指定するウィンドウが開くことができる。
【０１７４】
また、画像のコピーの際には、図３４に示すような形（レポートステイタスの入力エリアはない）で、ユーザとパスワードを認証し、画像持ち出しのセキュリティを確保している。
【０１７５】
画面上部には、レイアウトの変更用に、レポート表示ボタン２０７、画像比較表示ボタン２０８、過去検査同時表示ボタン２０９、が用意されており、それぞれのボタンを押すことで、画面のレイアウトを次のように変更することができる。
【０１７６】
（１）レポート表示ボタン２０７を押すと  →  レポート入力画面９４が開く（複数の医師間でのカンファレンスを行った結果、検査結果（レポート）情報を編集する必要があれば、変更しての入力が可能である。この場合、編集された情報は、バージョン管理がなされ、変更前の情報とは、別の版数で管理される）。
【０１７７】
（２）画像比較表示ボタン２０８を押すと、  図４０に示すレイアウトとなり、画像の比較表示が可能である。
【０１７８】
（３）過去検査同時表示ボタン２０９を押すと、  図４１に示すレイアウトとなり、同一患者の過去の検査の画像群と同時に表示を行うことが可能である。
【０１７９】
以上の制御は、検索端末４（もしくは入力検査端末３）上のメインアプリケーションソフト２７のカンファレンスＤＬＬ３０にて制御されており、表示情報はデータベース２１から呼び出されまた、編集入力された各種情報は、データベース２１に登録される。また、この編集情報は、受付ＧＷ１上の受付処理アプリケーションソフト２０によって、ＨＩＳへ転送される点も同様である。
【０１８０】
次に統計・履歴機能の代表的機能であるスコープ履歴機能について説明する。
図４２は、システム起動・終了画面１０１にて、統計・履歴アイコン５４を選択し、ログインした際に起動する統計・履歴画面を示した図である。画面左部には、各統計・履歴機能選択用のアイコン群２１１が用意されており、月報／年報／実施一覧（日報）の出力機能、データのＥＸＣＥＬ形式での出力機能、前述のＦｏｌｌｏｗＵｐ患者のＦｏｌｌｏｗＵｐ期間（予定日）による検索機能、スコープ履歴表示機能が動作する。
【０１８１】
この図４２では、さらに、画面左部のアイコン群の中から、スコープ履歴アイコン２１０を選択した状態を示している。
【０１８２】
スコープ履歴アイコン２１０が選択されると、画面右部には、スコープ名と共に、管理番号、シリアルＮｏ．、使用開始日、使用回数、使用時間、保険請求合計額（参考値）のリストが表示される。これらは、データベース２１内の検査スコープテーブル１３５とスコープマスタ１５５から呼び出した情報を表示したものである。
【０１８３】
撮影画面８３または、実施入力画面８９にて、検査での使用スコープが登録され、また、撮影画面８３にて検査開始／終了時間が登録され、さらに、実施入力画面８９にて、検査で実施した検査の手技情報が登録されていることから、各スコープの使用開始日、使用回数、使用時間、保険請求合計額は、算出が可能となっている（手技マスタ１５１には、各手技に対する保険点数が登録されている）。
【０１８４】
次に管理機能の代表的機能であるオーダ照合・統合機能について説明する。
図４３は、システム起動・終了画面１０１にて、管理機能アイコン５５を選択し、ログインした際に起動する管理機能画面を示した図である。画面左部には、各管理機能選択用のアイコン群２１２が用意されており、オーダ照合・統合機能、アカウント設定機能、マスタ設定機能、オプション機能が動作する。
【０１８５】
アカウント設定機能は、本システムのユーザアカウントの登録、変更、削除やユーザレベル、権限に関する設定を行うことができ、データベース２１内のスタッフマスタ５６の内容にアクセス可能となっている。
【０１８６】
マスタ設定機能は、各マスタ検査種別、検査項目、手技、加算、薬剤、器材などの登録、変更、削除を行うことができ、データベース２１内の検査種別マスタ２１３、検査項目マスタ２１４、手技マスタ１５１、加算マスタ１５３、薬剤マスタ１５４、器材マスタ１５２、注意事項マスタ２１５、スコープマスタ１５５、用語マスタ１５９の内容にアクセス可能となっている。
【０１８７】
オプション機能は、任意のアプリケーションを設定しておくことにより、設定したアプリケーションをアイコンの選択により起動できる機能である。
【０１８８】
この図４３では、さらに、画面左部のアイコン群２１２の中から、オーダ照合・統合アイコン２１３を選択した状態を示している。
【０１８９】
オーダ照合・統合アイコン２１３が選択されると、画面右部には、前述の部門内オーダ登録画面１０１にて発行された部門内オーダと、オーダがない状態で観測装置１４にて検査を開始した画像のみ検査との一覧２１４が表示されている。これらは、データベース２１内の検査テーブル６５に管理されている検査のステイタス情報を参照し、表示が可能となっている。
【０１９０】
部門内オーダは、ＨＩＳからのオーダ情報を受信できない場合に、自システムの中で検査オーダを発行するために使用されるが、ＨＩＳからの正式なオーダを受信した後で、部門内オーダと正式オーダの照合を行い、一体化させることができる。具体的には、部門内オーダにひも付けられていたの各種のリンク情報で、かつオーダ情報テーブル５７以外のテーブル内の情報を、正式オーダに紐付けることで、照合を行うことができる。画像のみ検査とオーダとの照合、画像のみ検査の他のオーダへの統合も同様である。
【０１９１】
図４４は、図４３の一覧２１４の中から照合・統合を行いたい検査をクリックし、選択した際に起動するオーダ照合・統合画面を示す。
【０１９２】
画面左部には、選択した照合・統合したい検査の検査情報２１５が表示され、画面右部には照合・統合の候補一覧２１６が表示される。ここで、照合・統合先の検査を１つ選択し、チェックボックスにチェックつけ、照合・統合ボタン２１７を押すことで、照合・統合が完了する（照合・統合前の検査にひも付いていた各種テーブルのリンク情報が、照合・統合先のオーダに紐付けされる）。
【０１９３】
以上のように本実施の形態では、撮影画面にて画像選択時に、臓器（部位）の選択入力ができるようにしたため、撮影時または撮影直後にどの臓器（部位）の画像かを入力でき、より正確にかつ効率よく入力を行うことができる。
【０１９４】
さらに、撮影画面で入力された臓器（部位）の情報を利用し、実施情報の自動入力（表示）を行うようにしたため、より正確に、かつ効率よく、実施情報の入力および会計処理が可能である。
【０１９５】
さらに、撮影画面で入力された臓器（部位）の情報を利用し、レポート入力画面で、画像を臓器（部位）毎に分けて表示できるようにしたため、より正確でかつ効率のよいレポート入力が可能である。
【０１９６】
第２の実施の形態：
図４５ないし図５２は本発明の第２の実施の形態に係わり、図４５は内視鏡マネージメントシステムの構成を示すブロック図、図４６は図４５の内視鏡マネージメントシステムのソフトウエアの構成を示す図、図４７は図４５の内視鏡マネージメントシステムで展開される撮影画面を示す図、図４８は図４７の撮影画面から展開された検査のオーダ情報を参照できる画面を示す図、図４９は図４７の撮影画面から展開された検査画像をインデックス画像で一覧表示する画面を示す図、図５０は図４７の撮影画面から展開された検査時に実施した実施情報を入力する画面を示す図、図５１は第１の実施の形態のデータの入力業務の流れを説明する図、図５２は第２の実施の形態のデータの入力業務の流れを説明する図である。
【０１９７】
第２の実施の形態は、第１の実施の形態とほとんど同じであるので、異なる点のみ説明し、同一の構成には同じ符号をつけ説明は省略する。
【０１９８】
図４５は、本実施の形態の形態の内視鏡マネージメントシステムのハードウエア構成を示す。
【０１９９】
第１の実施の形態と異なる点を説明する。本実施の形態では、図４５に示す圧縮伸張装置１３はパソコン機能を有し、ＧＵＩ画面を表示する表示部を有するタッチパネル３０１が接続される。このタッチパネル３０１は、第１の実施の形態のＰＣモニタ９と異なり、検査ベッドの近くに設置される。
【０２００】
図４６は内視鏡マネージメントシステムのソフトウエアの構成を示す。サーバ５は、ＨＴＴＰサーバ５０１、サーバプログラム５０２とデータベース５０３がインストールされて動作するようになっている。
【０２０１】
圧縮伸張装置１３は、Ｗｅｂブラウザ機能５０４を実装し、ＨＵＢ７を介してＨＴＴＰサーバ５０１からＨＴＭＬデータ５０５をダウンロードする。サーバ５内では、サーバプログラム５０２が起動し、ＨＴＴＰサーバ５０１にＨＴＭＬデータ５０５を生成する。これにより、画像圧縮装置１に接続されたタッチパネル３０１上に、ＨＴＭＬデータ５０５を表示することが可能になっている。
【０２０２】
電子内視鏡装置１４からの画像データは、画像圧縮保存プログラム５０６により、サーバ５内のデータベース５０３にアクセスし、サーバ５に圧縮画像６００を保存するようになっている。
【０２０３】
次に本実施の形態の内視鏡マネージメントシステムの動作について説明する。
圧縮伸張装置１３を起動すると、タッチパネル３０１上にメインの画面が起動し、検査オーダの一覧が表示されるようになっている。一覧の表示については、第１の実施の形態で説明したように未実施の一覧と実施済みの一覧の表示の切り替えが可能となっている。
【０２０４】
未実施一覧から、検査オーダを選択すると、タッチパネル３０１上に図４７に示すような撮影画面１０１１が表示される。撮影画面１０１１では、検査画像の原画表示１０１２、インデックス画像表示１０１３、レポートヘの貼り付け選択１０１４、画像臓器名１０１５の入力／表示、オーダの検査項目１０１６の入力／表示、主治医１０１７・看護師１０１８の入力／表示、使用スコープ１０１９の入力／表示、検査時間１０２０の入力／表示、報告書に必要な診断情報１０２１の入力／表示が可能になっている。
【０２０５】
撮影画面１０１１に表示する検査画像は、サーバプログラム５０２がデータベース５０３にアクセスし、選択された検査オーダに関連する画像を検索し表示するようになっている。
【０２０６】
原画像表示１０１２では、検査時の最新の画像を表示するかもしくはインデックス画像１０１３を選択することにより原画像の表示が可能である。
【０２０７】
撮影画面１０１１では、図４７のマーキング１０２６に示すように画像上へのマーキングの入力が可能になっており、タッチパネル３０１に触れて、始めてマーキングの入力を行うと、臓器名を選択するための入力画面が起動する。２個目以降は、画像臓器名の入力画面は起動しない。臓器名を変更する場合は、画像臓器名を押下することで、臓器名の入力画面が起動し、変更することが可能である。
【０２０８】
マーキング１０２６のデータは、画像上での位置情報を検知し、サーバ５内のデータベース５０３に位置情報を記録管理している。タッチパネル３０１上でマーキングしたデータに再度触れることにより、マーキング１０２６のデータを削除することが可能である。
【０２０９】
生検した場合、生検した箇所の臓器は、病理検査や医事会計での臓器数での算定に必要とされるため、画像と関連付けて記録管理し、生検した箇所の臓器名をレポート情報、病理依頼情報、医事会計に送信する実施情報として出力することが可能である。検査後に作成するレポート、病理依頼票、実施情報の作成については、第１の実施の形態の説明と同様である。
【０２１０】
図４７に示すレポート添付貼り付け選択１０１４のチェックボックスでは、レポートに貼り付けるかの選択が可能である。これは、検査時に着目した画像を検査後に作成するレポートに添付するためである。これにより、検査中でのレポート情報の作成が可能になる。
【０２１１】
図４７に示すオーダの検査項目１０１６、主治医１０１７・看護師１０１８、使用スコープ１０１９、検査時間１０２０、報告書に必要な診断情報１０２１については、タッチパネル３０１上で押下することで、入力するウィンドウが起動し、データの項目を選択することが可能である。
【０２１２】
図４７の登録ボタン１０２５を押下することにより、入力したデータをサーバ５内のデータベース５０３に記録管理する。
【０２１３】
図４７に示す一覧ボタン１０２２を押下すると、タッチパネル３０１上に図４８に示すようなインデックス画像１０２７の一覧表示が可能である。インデックス画面１０２７を選択すると、選択した画像を図４７に示すような撮影画面１０１１で表示する。又、一覧画面にある戻るボタン１０２８を押しても図４７に示すような撮影画面１０１１に遷移する。
【０２１４】
図４７に示す依頼確認ボタン１０２３を押下すると、タッチパネル３０１上に図４９に示すオーダ詳細画面１０２９を表示する。オーダ詳細画面１０２９では、患者基本情報１０３０、依頼元情報１０３１、オーダ詳細情報１０３２、感染症１０３３・薬物アレルギー１０３４・注意する疾患情報１０３５・障害情報１０３６を含めた患者プロフィール情報１０３７の確認が可能である。図４９に示す戻るボタン１０３８を押下すると、撮影画面１０１１に遷移する。
【０２１５】
図４７に示す実施入力ボタン１０２４を押下すると、タッチパネル３０１上に図５０に示すような実施情報の入力画面１０３９が起動する。図５０では、例として薬剤１０４０の入力画面を示す。入力のタブを切り替えることで、使用した薬剤１０４０、実施した手技１０４１・加算１０４２、使用した器材１０４３の入力が可能である。図５０の戻るボタン１０４４を押下すると撮影画面１０１１に遷移する。
【０２１６】
本実施の形態では、第１の実施の形態で説明したオーダ情報の確認画面、検査画像の確認画面、実施情報の入力画面、レポート情報の入力画面の機能を実装しており、タッチパネル３０１上で各画面を表示し、データの入力や参照が可能になっている。
【０２１７】
図５１は、第１の実施の形態の入力業務の説明である。第１の実施の形態では、オーダ入力から実施入力、レポート入力を全てＰＣ端末を使用して入力している。図５２は、第２の実施の形態の入力業務の説明を示す図である。
【０２１８】
第１の実施の形態と異なるのは、ベッドサイドでのタッチパネル３０１を利用すると検査中での即時に検査オーダの参照や実施情報の即時入力、レポート情報の即時入力が可能になり、又、検査直後でも実施入力、レポート情報の入力が可能になる。又、図５１の第１の実施の形態と比較すると、本実施の形態では、検査中／検査直後に入力することができ、検査後にＰＣ端末で入力する場合の作業の簡略化やデータ入力の漏れを防ぐことで実施情報のより正確な入力が可能になる。
【０２１９】
以上の説明したように本実施の形態では、タッチパネル３０１を検査ベッド脇に配置することで、より正確でスムーズな実施情報の入力、レポート情報の入力が検査中／検査直後にできるという効果がある。さらに、検査室でのＰＣでのキーボード操作やマウスを使用しないため省スペースが図れる効果がある。
【０２２０】
本発明は、上述した実施の形態に限定されるものではなく、本発明の要旨を変えない範囲において、種々の変更、改変等が可能である。
【０２２１】
【発明の効果】
以上説明したように本発明によれば、撮影時または撮影直後にどの臓器（部位）の画像かを入力でき、より正確にかつ効率よく入力を行うことができるという効果がある。
【図面の簡単な説明】
【図１】本発明の第１の実施の形態に係る内視鏡検査マネージメントシステムの構成を示すブロック図
【図２】図１の内視鏡検査マネージメントシステムのソフトウェア構成を示す図
【図３】図１の内視鏡検査マネージメントシステムのシステム起動・終了における遷移を表す図
【図４】図１の内視鏡検査マネージメントシステムで展開されるシステム起動・終了画面を示す図
【図５】図１のサーバ内のデータベースに管理されているテーブル／マスタの構成を示す図
【図６】図１の内視鏡検査マネージメントシステムで展開される検査業務メイン画面を示す図
【図７】図６の検査業務メイン画面における遷移を表す第１の図
【図８】図６の検査業務メイン画面における遷移を表す第２の図
【図９】図６の検査業務メイン画面における遷移を表す第３の図
【図１０】図１の内視鏡検査マネージメントシステムで展開される未到着一覧画面を示す図
【図１１】図１の内視鏡検査マネージメントシステムで展開される到着患者一覧画面を示す図
【図１２】図１の内視鏡検査マネージメントシステムで展開される前処置未登録一覧画面を示す図
【図１３】図１の内視鏡検査マネージメントシステムで展開される未撮影一覧画面を示す図
【図１４】図１の内視鏡検査マネージメントシステムで展開される実施未送信一覧画面を示す図
【図１５】図１の内視鏡検査マネージメントシステムで展開されるレポート未送信一覧画面を示す図
【図１６】図１の内視鏡検査マネージメントシステムで展開される検査状況一覧画面を示す図
【図１７】図１の内視鏡検査マネージメントシステムで展開される部門内オーダ登録画面を示す図
【図１８】図１の内視鏡検査マネージメントシステムによる検査の流れを示すフローチャート
【図１９】図１の内視鏡検査マネージメントシステムで展開される検査中止画面を示す図
【図２０】図１の内視鏡検査マネージメントシステムで展開されるオーダ詳細確認画面を示す図
【図２１】図１の内視鏡検査マネージメントシステムで展開される前処置入力画面を示す図
【図２２】図１の内視鏡検査マネージメントシステムで展開される修正ウィンドウを示す図
【図２３】図１の内視鏡検査マネージメントシステムで展開される撮影画面を示す図
【図２４】図１の内視鏡検査マネージメントシステムで展開される選択メニューを示す図
【図２５】図１の内視鏡検査マネージメントシステムで展開される実施入力画面を示す図
【図２６】図１の内視鏡検査マネージメントシステムで展開されるレポート入力画面を示す図
【図２７】図１の内視鏡検査マネージメントシステムで展開される第１の用語ウィンドウを示す図
【図２８】図１の内視鏡検査マネージメントシステムで展開される第２の用語ウィンドウを示す図
【図２９】図１の内視鏡検査マネージメントシステムで展開されるコメントメニューを示す図
【図３０】図１の内視鏡検査マネージメントシステムで展開される選択候補ウィンドウを示す図
【図３１】図２６の表示情報の切替ボタンの押下で展開される画面を示す図
【図３２】図１の内視鏡検査マネージメントシステムで展開されるシェーマ画像の編集ウィンドウを示す図
【図３３】図１の内視鏡検査マネージメントシステムで展開される外部画像取り込み用ウィンドウを示す図
【図３４】図１の内視鏡検査マネージメントシステムで展開される認証ウィンドウを示す図
【図３５】図１８のステップＳ４の詳細な流れを示すフローチャート
【図３６】図１８のステップＳ５の詳細な流れを示すフローチャート
【図３７】図１８のステップＳ６の詳細な流れを示すフローチャート
【図３８】図１の内視鏡検査マネージメントシステムで展開されるカンファレンス画面を示す図
【図３９】図１の内視鏡検査マネージメントシステムで展開される画像表示画面を示す図
【図４０】図３９の画像比較表示ボタンの押下で展開される画面を示す図
【図４１】図３９の過去検査同時表示ボタンの押下で展開される画面を示す図
【図４２】図１の内視鏡検査マネージメントシステムで展開される統計・履歴画面を示す図
【図４３】図１の内視鏡検査マネージメントシステムで展開される管理機能画面を示す図
【図４４】図１の内視鏡検査マネージメントシステムで展開されるオーダ照合・統合画面を示す図
【図４５】本発明の第２の実施の形態に係る内視鏡マネージメントシステムの構成を示すブロック図
【図４６】図４５の内視鏡マネージメントシステムのソフトウエアの構成を示す図
【図４７】図４５の内視鏡マネージメントシステムで展開される撮影画面を示す図
【図４８】図４７の撮影画面から展開された検査のオーダ情報を参照できる画面を示す図
【図４９】図４７の撮影画面から展開された検査画像をインデックス画像で一覧表示する画面を示す図
【図５０】図４７の撮影画面から展開された検査時に実施した実施情報を入力する画面を示す図
【図５１】第１の実施の形態のデータの入力業務の流れを説明する図
【図５２】第２の実施の形態のデータの入力業務の流れを説明する図
【符号の説明】
１…ＧＷ
２…受付端末
３…入力／検査端末
４…検索端末
５…サーバ
【図１】
2004348687.tif 000003
【図２】
2004348687.tif 000004
【図３】
2004348687.tif 000005
【図４】
2004348687.tif 000006
【図５】
2004348687.tif 000007
【図６】
2004348687.tif 000008
【図７】
2004348687.tif 000009
【図８】
2004348687.tif 000010
【図９】
2004348687.tif 000011
【図１０】
2004348687.tif 000012
【図１１】
2004348687.tif 000013
【図１２】
2004348687.tif 000014
【図１３】
2004348687.tif 000015
【図１４】
2004348687.tif 000016
【図１５】
2004348687.tif 000017
【図１６】
2004348687.tif 000018
【図１７】
2004348687.tif 000019
【図１８】
2004348687.tif 000020
【図１９】
2004348687.tif 000021
【図２０】
2004348687.tif 000022
【図２１】
2004348687.tif 000023
【図２２】
2004348687.tif 000024
【図２３】
2004348687.tif 000025
【図２４】
2004348687.tif 000026
【図２５】
2004348687.tif 000027
【図２６】
2004348687.tif 000028
【図２７】
2004348687.tif 000029
【図２８】
2004348687.tif 000030
【図２９】
2004348687.tif 000031
【図３０】
2004348687.tif 000032
【図３１】
2004348687.tif 000033
【図３２】
2004348687.tif 000034
【図３３】
2004348687.tif 000035
【図３４】
2004348687.tif 000036
【図３５】
2004348687.tif 000037
【図３６】
2004348687.tif 000038
【図３７】
2004348687.tif 000039
【図３８】
2004348687.tif 000040
【図３９】
2004348687.tif 000041
【図４０】
2004348687.tif 000042
【図４１】
2004348687.tif 000043
【図４２】
2004348687.tif 000044
【図４３】
2004348687.tif 000045
【図４４】
2004348687.tif 000046
【図４５】
2004348687.tif 000047
【図４６】
2004348687.tif 000048
【図４７】
2004348687.tif 000049
【図４８】
2004348687.tif 000050
【図４９】
2004348687.tif 000051
【図５０】
2004348687.tif 000052
【図５１】
2004348687.tif 000053
【図５２】
2004348687.tif 000054